(57)【要約】【課題】車内に複数のモニタが存在し、モバイル機器を車内に持ち込んだとき、そのモバイル機器の画像を所定のモニタに容易に、しかも素早く表示することができるようにした「モバイル機器データの複数モニタ選択転送システム」とする。【解決手段】利用者が携帯するモバイル機器を車内に持ち込んだとき、車内に設けた複数のモニタに画像を表示するモニタ表示機器と互いに通信を行い、複数のモニタのうちのいずれかを利用者が選択し、選択したモニタに画像を表示するモニタ表示機器にモバイル機器の再生用データを送信し、モニタ表示機器では受信したデータを記録し、選択したモニタに画像を表示する。その際、モニタ毎のＩＤを送受信してモニタの特定を可能とし、また、モバイル機器の車内での位置や向きを検出することにより特定のモニタを選択し、更に、車内カメラによりモニタに表示したマーカーや矢印を撮影する等の処理を行う。【選択図】図１
2010093515.tif 000002
【特許請求の範囲】
【請求項１】
利用者が携帯するモバイル機器を車内に持ち込んだとき、車内に設けた複数のモニタに画像を表示するモニタ表示機器と互いに通信を行い、
前記複数のモニタのうちのいずれかを利用者が選択し、
前記選択したモニタに画像を表示するモニタ表示機器にモバイル機器の再生用データを送信し、
モニタ表示機器では受信したデータを記録し、選択したモニタに画像を表示することを特徴とするモバイル機器データの複数モニタ選択転送システム。
【請求項２】
前記複数のモニタのうちのいずれかを利用者が選択する処理においては、各モニタ毎のＩＤデータをモバイル機器が受信し、受信したＩＤデータによりいずれかのモニタを選択する処理を行うことを特徴とする請求項１記載のモバイル機器データの複数モニタ選択転送システム。
【請求項３】
前記選択したモニタに画像を表示するモニタ表示機器にモバイル機器の再生用データを送信するときには、前記選択したモニタのＩＤデータを付して送信し、車内モニタ表示機器ではＩＤに対応したモニタに画像を表示することを特徴とする請求項２記載のモバイル機器データの複数モニタ選択転送システム。
【請求項４】
前記受信したＩＤデータによりいずれかのモニタを選択する処理においては、モバイル機器に予め設定した車内のモニタとＩＤとの対応データによって、モバイル機器の画面に表示した車内のモニタ指示部でいずれかのモニタを選択することを特徴とする請求項２記載のモバイル機器データの複数モニタ選択転送システム。
【請求項５】
前記モバイル機器の画面に表示した車内のモニタ指示部は、利用者がモニタ方向を指示することにより行うことを特徴とする請求項３記載のモバイル機器データの複数モニタ選択転送システム。
【請求項６】
前記選択したモニタに画像を表示するモニタ表示機器にモバイル機器の再生用データを送信するときには、前記モバイル機器が再生を停止した再生停止位置データも送信し、車載モニタでは当該再生停止位置から生成を行うことを特徴とする請求項１記載のモバイル機器データの複数モニタ選択転送システム。
【請求項７】
前記複数のモニタのうちのいずれかを利用者が選択するときには、車内撮影カメラによりモニタに表示したマーカーを撮影し、当該マーカーの車内での位置を検出することによりモニタを選択することを特徴とする請求項１記載のモバイル機器データの複数モニタ選択転送システム。
【請求項８】
前記複数のモニタのうちのいずれかを利用者が選択するときには、車内カメラによりモニタに表示したマーカーを撮影し、当該マーカーの車内での位置と、モバイル機器に設けたジャイロによって検出したモニタの向きとによりモニタを選択することを特徴とする請求項１記載のモバイル機器データの複数モニタ選択転送システム。
【請求項９】
前記モバイル機器には、モバイル機器の３次元方向を検出する３Ｄジャイロを備えるモバイル機器の向きを検出し、モバイル機器の向きに対応したモニタを選択することを特徴とする請求項１記載のモバイル機器データの複数モニタ選択転送システム。
【請求項１０】
前記モバイル機器には、モバイル機器の３次元方向を検出する３Ｄジャイロを備えるモバイル機器の向きを検出し、モバイル機器の画面で指示する方向によりモニタを選択することを特徴とする請求項１記載のモバイル機器データの複数モニタ選択転送システム。  
【発明の詳細な説明】
【技術分野】
【０００１】
本発明は車両に搭載した複数のモニタのいずれかを選択して、車内に持ち込んだ携帯プレーヤ等のモバイル機器のデータを転送して再生することができるようにした、モバイル機器データの複数モニタ選択転送システムに関する。
【背景技術】
【０００２】
小型で大容量のメモリやハードディスク等のデータ記録媒体の進歩により、近年は各種の携帯プレーヤが発達し、単に携帯プレーヤのデータ記録媒体に記録しているデータを再生する以外に、例えば携帯情報端末や携帯電話等の一つの機能として、データ記録媒体に記録したオーディオビジュアルデータを再生して視聴することも広く行われるようになっている。以降このような各種の携帯プレーヤを総称して「モバイル機器」という。
【０００３】
上記のようなモバイル機器は常日頃持ち運んで、希望するときはいつでも希望するオーディオビジュアルのコンテンツを再生して視聴することができるものであるが、このモバイル機器の再生視聴中に車に乗ることになったとき、車中でも継続して視聴したいと思うことがある。
【０００４】
特に近年の車両にはナビゲーション装置のモニタが標準的に装備されることが多く、そのモニタでナビゲーション装置の画面以外にも、テレビ映像、ビデオ映像を表示することができるようになっている。しかも近年の車載システムにおいては、大容量のハードディスクを内蔵し、ナビゲーション装置用のデータ以外に、多数の映像付きオーディオデータや映画を記録し、所望のコンテンツを選択して再生し、画像をモニタに表示することも行われている。
【０００５】
車載システムにおいては特に高性能のオーディオ装置を搭載していることが多いので、前記のように車内にモバイル機器を持ち込むとき、モバイル機器のコンテンツを車内で楽しみたいと思うことが多い。そのときには車内システムの外部機器接続部を用いて所持しているモバイル機器と有線または無線で接続して、携帯プレーヤの所定のコンテンツのデータを転送し、このとき車載システムではこのデータを一旦ハードディスク等のデータ記録媒体に記録し、これを再生することとなる。
【０００６】
なお、車内に持ち込んだ携帯情報端末とナビゲーション装置との間でデータの送受信を行う技術は特開平１１−２１１４８８号公報（特許文献１）に開示されている。
【特許文献１】特開平１１−２１１４８８号公報
【発明の開示】
【発明が解決しようとする課題】
【０００７】
このようにモバイル機器のデータを車載システムに転送し、これを再生して視聴するとき、その車載システムには例えば運転席の前に設置しているモニタの１つだけである時には問題ないが、例えば図１７に示す車載システムのように、助手席の前にもモニタＪＭを備えていることがある。この時の助手席側のモニタＪＭに表示する画像は、助手席側のモニタに画像を表示する専用のモニタ表示機器を備えている場合と、システムの簡略化のために、車両のヘッドユニットのような車載機器全体を制御可能な中央の制御装置が、運転席側のモニタと助手席側のモニタをそれぞれ表示制御可能とすることも考えられる。その際にはモニタは複数存在してもモニタ表示機器は１つだけとなり、内部機能として画像出力先の選択処理を行い、表示モニタの選択を行うこととなる。
【０００８】
同様に、その車両が社用車のように、後部座性に座っている人が主体となる車両の場合には、例えば図１６に示すように後部座席にそれぞれモニタを設け、同図（ａ）の用にそれぞれのモニタに独立したモニタ表示機器を設けて、それぞれで自由に作動させるシステムがある。またそれ以外に、例えば同図（ｂ）に示すように、ヘッドユニットＨＵを中心とした車内ＬＡＮを形成し、この車内ＬＡＮに各モニタを接続して、各モニタからの画像表示指示等をヘッドユニットで制御して出力する場合もある。
【０００９】
このような車内に複数のモニタが存在するときにおいて、モバイル機器を持ち込んだ利用者が助手席に座って助手席側のモニタで今まで視聴していた映画の続きを見たいと思うとき、従来の車載システムでは、一旦所定のモニタに付属のモニタ表示機器に対してデータを転送し再生表示するか、１つのヘッドユニットで表示制御しているときには、そのヘッドユニットのデータ記録媒体に対してデータを転送し、その後所定のモニタに対して転送した画像の表示を行うように制御することとなる。
【００１０】
上記のように、車内に複数のモニタが存在するときには、その車内に持ち込んだモバイル機器の画像を所定のモニタで表示するとき、多くの手数を要する問題がある。また、モバイル機器を車内に持ち込んでから、実際に車内の所定のモニタで視聴可能となるには多くの時間を要するため、例えば現在モバイル機器で視聴していた映画を引き続き見るために多くの時間がかかる結果、その映画に対する興味をそがれてしまうこともある。
【００１１】
したがって本発明は、車内に複数のモニタが存在し、モバイル機器を車内に持ち込んだとき、そのモバイル機器の画像を所定のモニタに容易に、しかも素早く表示することができるようにしたモバイル機器データの複数モニタ選択転送システムを提供することを主たる目的とする。
【課題を解決するための手段】
【００１２】
本発明に係るモバイル機器データの複数モニタ選択転送システムは、前記課題を解決するため、利用者が携帯するモバイル機器を車内に持ち込んだとき、車内に設けた複数のモニタに画像を表示するモニタ表示機器と互いに通信を行い、前記複数のモニタのうちのいずれかを利用者が選択し、前記選択したモニタに画像を表示するモニタ表示機器にモバイル機器の再生用データを送信し、モニタ表示機器では受信したデータを記録し、選択したモニタに画像を表示することを特徴とする。
【００１３】
また、本発明に係る他のモバイル機器データの複数モニタ選択転送システムは、前記モバイル機器データの複数モニタ選択転送システムにおいて、前記複数のモニタのうちのいずれかを利用者が選択する処理においては、各モニタ毎のＩＤデータをモバイル機器が受信し、受信したＩＤデータによりいずれかのモニタを選択する処理を行うことを特徴とする。
【００１４】
また、本発明に係る他のモバイル機器データの複数モニタ選択転送システムは、前記モバイル機器データの複数モニタ選択転送システムにおいて、前記受信したＩＤデータによりいずれかのモニタを選択する処理においては、モバイル機器に予め設定した車内のモニタとＩＤとの対応データによって、モバイル機器の画面に表示した車内のモニタ指示部でいずれかのモニタを選択することを特徴とする。
【００１５】
また、本発明に係る他のモバイル機器データの複数モニタ選択転送システムは、前記モバイル機器データの複数モニタ選択転送システムにおいて、前記モバイル機器の画面に表示した車内のモニタ指示部は、利用者がモニタ方向を指示することにより行うことを特徴とする。
【００１６】
また、本発明に係る他のモバイル機器データの複数モニタ選択転送システムは、前記モバイル機器データの複数モニタ選択転送システムにおいて、前記選択したモニタに画像を表示するモニタ表示機器にモバイル機器の再生用データを送信するときには、前記選択したモニタのＩＤデータを付して送信し、車内モニタ表示機器ではＩＤに対応したモニタに画像を表示することを特徴とする。
【００１７】
また、本発明に係る他のモバイル機器データの複数モニタ選択転送システムは、前記モバイル機器データの複数モニタ選択転送システムにおいて、前記選択したモニタに画像を表示するモニタ表示機器にモバイル機器の再生用データを送信するときには、前記モバイル機器が再生を停止した再生停止位置データも送信し、車載モニタでは当該再生停止位置から生成を行うことを特徴とする。
【００１８】
また、本発明に係る他のモバイル機器データの複数モニタ選択転送システムは、前記モバイル機器データの複数モニタ選択転送システムにおいて、前記複数のモニタのうちのいずれかを利用者が選択するときには、車内撮影カメラによりモニタに表示したマーカーを撮影し、当該マーカーの車内での位置を検出することによりモニタを選択することを特徴とする。
【００１９】
また、本発明に係る他のモバイル機器データの複数モニタ選択転送システムは、前記モバイル機器データの複数モニタ選択転送システムにおいて、前記複数のモニタのうちのいずれかを利用者が選択するときには、車内カメラによりモニタに表示したマーカーを撮影し、当該マーカーの車内での位置と、モバイル機器に設けたジャイロによって検出したモニタの向きとによりモニタを選択することを特徴とする。
【００２０】
また、本発明に係る他のモバイル機器データの複数モニタ選択転送システムは、前記モバイル機器データの複数モニタ選択転送システムにおいて、前記モバイル機器には、モバイル機器の３次元方向を検出する３Ｄジャイロを備えるモバイル機器の向きを検出し、モバイル機器の向きに対応したモニタを選択することを特徴とする。
【００２１】
また、本発明に係る他のモバイル機器データの複数モニタ選択転送システムは、前記モバイル機器データの複数モニタ選択転送システムにおいて、前記モバイル機器には、モバイル機器の３次元方向を検出する３Ｄジャイロを備えるモバイル機器の向きを検出し、モバイル機器の画面で指示する方向によりモニタを選択することを特徴とする。
【発明の効果】
【００２２】
本発明は上記のように構成したので、車内に複数のモニタが存在し、モバイル機器を車内に持ち込んだとき、そのモバイル機器の画像を所定のモニタに容易に、しかも素早く表示することができる。
【発明を実施するための最良の形態】
【００２３】
本発明に係るモバイル機器データの複数モニタ選択転送システムは、車内に複数のモニタが存在し、モバイル機器を車内に持ち込んだとき、そのモバイル機器の画像を所定のモニタに容易に、しかも素早く表示することができるようにするという課題を、利用者が携帯するモバイル機器を車内に持ち込んだとき、車内に設けた複数のモニタに画像を表示するモニタ表示機器と互いに通信を行い、前記複数のモニタのうちのいずれかを利用者が選択し、前記選択したモニタに画像を表示するモニタ表示機器にモバイル機器の再生用データを送信し、モニタ表示機器では受信したデータを記録し、選択したモニタに画像を表示することにより実現した。
【実施例１】
【００２４】
本発明の実施例を図面に沿って説明する。図１は本発明の各種実施例を実施可能とする機能部を備えた機能ブロック図であり、各実施例はそれらのいずれかの機能部を用いることによって実施することができるようにしている。即ち、図１の機能ブロック図に示す例においては、オーディオビジュアルデータを再生し、車載モニタ２５に画像を表示し、スピーカ２７から音声を出力する車載システム１と、モバイル機器３０とを備えたシステム機器の例を示している。図示する車載システム１においては、車載システム１に複数のモニタのうちのいずれかを選択して画像を表示するための、車載モニタ表示機器２を備えている。
【００２５】
車載モニタ表示機器には、外部のモバイル機器３０の通信部３１と通信を行う通信部３を備え、この通信部３には、モバイル機器３０が車内に持ち込まれて周囲の通信可能な機器をサーチするとき、通信可能な機器に対してそのＩＤデータ送受信部３２からＩＤの送信依頼があると、ＩＤデータ送受信部４では、それに応答して各モニタ毎のＩＤを伏してモバイル機器３０のＩＤ送受信部３２に対して送信する。
【００２６】
再生データ送受信部５では、車載システム１がモバイル機器３０のオーディオビジュアルデータを取り込み、データ記録部２１に記録する。また必要に応じてモバイル機器が車載システムから離れるとき、取り込んでいたデータを再び戻す必要がある時には、再生データを送信する作動を行う。
【００２７】
再生停止位置送受信部６では、モバイル機器が例えば映画等を再生している途中でこれを車内に持ち込んだとき、それ以降から車内システムで視聴するために、モバイル機器３０の再生を停止したデータの位置を受信し、これをデータ記録部２１に記録する。また必要に応じて前記のようにしてモバイル機器のデータを再生しているとき、モバイル機器の所持者が車を出ようとするとき、現在再生しているコンテンツのデータを再びモバイル機器に戻す必要がある際に、その再生停止位置のデータの送信作動を行う。
【００２８】
モバイル機器向きデータ受信部７においては、後述するようにモバイル機器３０がどのような姿勢になっているかを、各種の手法によって演算して送信してくる時、これを受信する。モバイル機器選択指示信号受信部８では、モバイル機器３０において後述する各種手法に車載システムにおける複数のモニタのうちのいずれかを選択したとき、その選択指示信号を入力する。
【００２９】
車載モニタ選択処理部９においては、複数の車載モニタのうち任意のものをモバイル機器３０の利用者が選択するための処理を行うものであり、その中のＩＤ利用モニタ選択処理部８においては、特に受信ＩＤ対応モニタ特定部１１において、前記通信部３のＩＤデータ送受信部４で複数の車載モニタの各ＩＤをモバイル機器３０に送信したとき、このＩＤによってモバイル機器３０が各モニタの車内での位置が認識できたときに、その位置に対応したモニタのＩＤデータを送信するとき、車載モニタ表示機器２ではこれを受信して、そのＩＤに対応したモニタを画像表示モニタとして特定し選択する処理を行う。
【００３０】
車内カメラ撮影処理部１２では、例えば図１７に示すような車内の上部に設けた車内カメラで車内を撮影するとき、撮影画像取込部１３でその画像を取り込み、その画像を後述するような各種の処理を行う。マーカー位置検出部１４においては、モバイル機器２０で後述するようにマーカーを表示するとき、これを撮影画像取込部１３から取り込み、その画像に基づいてマーカーが車内のどの位置にあるかを検出する処理を行う。それにより例えばマーカーが助手席モニタの前面に存在することを検出したときには、助手席側のモニタが画像表示するように選択を行う等のモニタ選択作動を可能とする。
【００３１】
矢印位置検出部１５では、モバイル機器の画面に矢印が表示されたときこれを車内カメラで撮影し、撮影画像取込部１３でこれを取り込むと、その画像を処理して矢印が存在する位置を検出し、前記マーカー位置検出部と同様に車内での矢印の位置を検出し、モニタ選択のためのデータとして用いる。
【００３２】
矢印向き検出部１６では、前記のように矢印の撮影画像を取り込んだとき、その矢印が車両の前方を中心にどの向きを向いているかを検出する。それにより利用者がモバイル機器の矢印をどの方向に向けているかを検出し、利用者が指示しているモニタを選択する処理を行う。
【００３３】
可動メカディスプレイ開閉作動部２０では、この車載システム１で選択して使用するモニタが、使用時には閉状態から開く作動を行う可動メカディスプレイであるとき、このモニタの選択使用時にモバイル機器３０と車載システム１が接続して車載システムのモニタで画像を表示しようとする際に、直ちに表示できるように、自動的に閉状態から開いて画像表示する処理を行う。また、そのようなモニタの作動中にモバイル機器３０を車外に持ち出すとき、自動的にモニタを閉じる作動も行う。                             
【００３４】
データ記録部２１においては、車載システム１で行う各種処理のための種々のデータを記録するものであり、特に本発明に関連する記録データとしては、通信部３の再生データ送受信部５でモバイル機器３０からの再生用のデータを受信したときこれを記録し、その後の再生処理を可能とする。また、必要に応じて通信部３の再生停止位置データ送受信部６でモバイル機器３０からの再生停止位置データを受信したとき、このデータを一時的に記録しておくこともできる。同様に通信部３のＩＤデータ送受信部４で周囲の機器のＩＤデータを受信したときこれを記録して、その後の機器の選択及び特定に用いることもできる。
【００３５】
再生処理部２２では、前記のようにデータ記録媒体２１に記録したオーディオビジュアルデータを再生する処理を行い、その処理により得られた画像は画像出力部２４から表示モニタ選択処理部９で各種手法のうちのいずれかの手法により選択したモニタ２５に対して出力する。また音声はオーディオ出力部２６からスピーカ２７に出力する。この時のスピーカ２７は、車両用のスピーカシステム以外に、各モニタにそれぞれ独立したスピーカを備えているときには、選択したモニタ１２に対応するスピーカを選択して出力する。
【００３６】
モバイル機器３０においては、車載システム１と同様の通信部３１を備えており、ＩＤデータ送受信部３２では、前記のように車載システム１の複数の車載モニタ２５のうちのいずれかを選択して用いるとき、各モニタのＩＤデータを受信する。このＩＤが予め車両のどの位置のモニタであるかがわかっているときには、直ちに特定のＩＤを指示してモニタの選択を行うことができる。
【００３７】
再生データ送受信部３３においては、車載システム１の複数の車載モニタ２５のうちいずれかを選択した後、そのモニタに画像を表示するモニタ表示機器に対して特定のコンテンツのデータを送信する。また、モバイル機器２０を車外に持ち出すときには、必要に応じて車載モニタ表示機器２で再生しているデータを取り込むための再生データの受信を行う。
【００３８】
再生停止位置送受信部３４においては、モバイル機器３０で映画等を再生中に車載モニタ表示機器２でその続きを試製しようとするとき、再生を停止した位置のデータを送信する。また、更にモバイル機器３０を車外に持ち出すときに、車載モニタ表示機器２で再生を停止した位置のデータを受信する。
【００３９】
モバイル機器向きデータ送信部３５においては、後述するようにこのモバイル機器３０に３Ｄジャイロ等のモバイル機器向き検出部４０を備えているとき、その検出データを車載モニタ表示機器２に対して送信し、表示モニタ選択処理部９における処理に利用可能とする。選択指示信号送受信部３６においては、モバイル機器３０と車載システム１とが接続したとき、モバイル機器側から車載システム１に対して各種の指示信号を送信可能とする。
【００４０】
ＩＤ出力機器特定処理部３８では、モバイル機器で各モニタからのＩＤを受信するとき、そのＩＤと車内のモニタとの対応関係データが存在する場合に、そのデータによって再生するモニタを特定する処理を行う。モバイル機器向き検出部４０においては、このモバイル機器３０に３Ｄジャイロ等の機器の現在の３次元の方向を検出するジャイロを備えるとき、その機能によってモバイル機器の向きを検出する。そのデータは通信部３１のモバイル機器向きデータ送信部３３から、車載モニタ表示機器２の通信部３のモバイル機器向きデータ受信部７を介し、表示モニタ選択処理部９でモニタの選択処理に利用する。
【００４１】
モバイル機器画面表示処理部４２においては、図示の例ではタッチパネル表示部４３を備え、利用者が画面の所定位置に指等を接触したときこれを検出し、その後車載システム１におけるモニタ選択処理等を行う各種指示のためのタッチパネルを形成する。タッチパネル操作指示入力検出部４４では、前記のようにタッチパネルを形成している状態で利用者が画面の特定の部位をタッチし、また指等でなぞる操作を行うときにはこれを検出し、利用者による操作指示入力信号として検出する。その指示信号は適宜通信部３１の選択指示信号送受信部３６から出力し、車載モニタ表示機器２の通信部３におけるモバイル機器選択指示信号受信部８で受信し、表示モニタ選択処理部９等で使用可能とする。
【００４２】
マーカー表示部４５では、利用者がモバイル機器３０のデータを車載モニタ表示機器２に送信して車載モニタ表示機器２の特定の車載モニタ２５で再生たいと思ったとき、モバイル機器３０の画面の特定部位にタッチした際に、モバイル機器３０の表示部５０に特定のマークを表示する処理を行う。それにより車載システム１に設けた車内カメラが、モバイル機器３０が存在する位置の検出を容易に行うことができるようにする。
【００４３】
矢印表示部４６におてはマーカー表示部４５の前記作動と同様に、一つのマーカの態様として用いる以外に、利用者がこの矢印の向きを使用したい任意のモニタの方向に向けるためにも用いることができ、更に表示部５０に複数の方向の矢印を表示し、利用するモニタの方向の矢印を選択する、或いはその方向になぞる等の操作を行うためにも用いることができる。
【００４４】
データ記録媒体４７ではこのモバイル機器３０が再生を行うデータのほか各種のデータを記録する。また再生処理部４８では、データ記録媒体４７に記録しているデータを読み込んで再生する処理を行い、そのときの画像は画像出力部４９からモバイル機器の表示部５０に表示し、音声はオーディオ出力部５１からスピーカ５２、或いはイヤホンに出力する。
【００４５】
上記のような機能ブロックからなる複数モニタの選択再生データ転送システムにおいては、例えば図２〜１０に示す作動フローによって種々の態様で実施することができる。図２には本発明において、複数の車載モニタのいずれかを選択して、モバイル機器のデータを再生し表示する処理である、複数モニタ選択式モバイル機器データ再生表示処理を行うための、全体的な作動フローを示している。図１に示す例においては、最初モバイル機器から車載モニタにデータを出力するか否かを判別しており（ステップＳ１）、ここではモバイル機器の利用者が携帯しているオーディオビジュアルデータを再生して表示出力することができるモバイル機器について、そのデータを車載モニタに転送する何らかの信号入力がなされるまで待機する。
【００４６】
ステップＳ１で利用者がモバイル機器を車両内に持ち込むことにより、例えばモバイル機器と車載システムをブルートゥースや無線ＬＡＮ等により自動的に送信を行って自動接続し、その後利用者がモバイル機器から車載モニタにデータを出力するとしたときには、モバイル機器においてデータ転送の指示を行うと、モバイル機器で再生中か否かを判別する（ステップＳ２）。ここでモバイル機器が再生中であると判別したときには、その再生を停止し（ステップＳ３）、そのときの再生停止位置をモバイル機器のデータ記録媒体に一時的に記録する（ステップＳ４）。
【００４７】
その後前記ステップＳ２でモバイル機器が再生中ではないと判別したときとともにステップＳ５に進み、車両に複数のモニタを備えているときにいずれかのモニタを選択するための処理を行う（ステップＳ５）。この処理の一例については図３に示しており、更に図６、７、８、９に他の各種の例を示している。次いでモバイル機器は再生中であったか否かを判別し（ステップＳ６）、再生中であったときには、モバイル機器のデータ記録媒体に記録されているオーディオビジュアルの多数のコンテンツのうち、現在再生中のコンテンツのデータを選択し（ステップＳ７）、その後前記ステップＳ４でモバイル機器が記録した再生停止位置データを通信によって取り込む。一方、前記ステップＳ６でモバイル機器が再生していないと判別した時には、車載モニタ表示機器で再生するコンテンツのデータを、モバイル機器のデータ記録媒体に記録している多数のコンテンツの中から、利用者が任意に選択する。
【００４８】
次いで、前記のようにステップＳ８、及びステップＳ９の処理によって選択したコンテンツのデータを取り込んだ後、モバイル機器から選択した車載モニタ表示機器に対して、前記データを送信する（ステップＳ１０）。その後車載モニタ表示機器でのモバイル機器データの再生処理を行う（ステップＳ１１）。この処理は後述するように、例えば図４及び図５の作動フローによって行うことができる。
【００４９】
図３には図２のステップＳ５で示す、複数車載モニタを選択する処理に際して、モニタのＩＤを利用して選択を行う例の作動フローを示しており、最初に車内に持ち込まれたモバイル機器から通信可能な周囲の機器にＩＤの要求を行っている。この時にはモバイル機器からも自分のＩＤを出力し、これに応答できる車内の機器に対してＩＤの要求を行うこととなり、この処理はブルートゥースによる通信ではその通信機能によって自動的に相互に通信がなされる。
【００５０】
次いで、モバイル機器が予め利用者が定常的に利用する車両について、例えば図３（ｂ）に示すような車載モニタ位置とそのＩＤとの対応データが存在するとき、前記ＩＤの要求に応答して自己のＩＤを出力してきた複数のモニタについて、各ＩＤ出力モニタの方向を、同図（ｂ）のデータによって特定する（ステップＳ２３）。
【００５１】
その後、図示の例ではモバイル機器が備えている３Ｄジャイロ等によってモバイル機器の向きを検出する（ステップＳ２４）。なお、モバイル機器が３Ｄジャイロを備えていないときには、後述するような車内カメラによってモバイル機器の画面上の矢印等を撮影して、モバイル機器の向きを検出することも可能である。
【００５２】
その際には図３（ｃ）或いは（ｄ）のような表示と画面のタッチパネルかを行い（ステップＳ２５）、利用者はその表示に対する指示を行うことができる。図３（ｃ）に示すタッチパネル表示例１においては、車内に前後それぞれ左右の合計４個のモニタを備えているとき、その席を画面に表示し、利用者がいずれかをタッチして指示する。図２（ｄ）に示す例２においては、画面の中心から四方に各席を表示すると共に、中心からその方向に矢印を示しており、利用者がいずれかの矢印を画面を中心から矢印の方向になぞることにより、或いは矢印を単にタッチするのみにより、任意のモニタを指示する。このようにして利用者が画面上で選択したモニタを指示する（ステップＳ２６）。その後指示した方向の車載モニタを選択設定し、それにより選択したモニタに対応したＩＤを決定し、そのＩＤを付してモニタ表示機器に再生用データを送信する（ステップＳ２７）。
【００５３】
図４には図３のＩＤを利用した複数車載モニタの選択処理を行うに際して、車載モニタ表示機器でのモバイル機器のデータを受信して行う処理、即ち車載モニタ表示器でのＩＤ利用式モバイル機器データ受信処理の例を示しており、最初モバイル機器からＩＤ出力要求があるか否かを判別している。この判別は前記図３のステップＳ２１におけるモバイル機器からの通信可能な周囲の機器にＩＤを要求するのに対応した処理となり、既存の通信ソフトによって自動的に行うことができる。
【００５４】
このステップＳ３１でモバイル機器からＩＤ出力要求がないと判別したときには、要求があるまで待機する。ここで要求があったと判別したときには、モバイル機器にＩＤを出力する（ステップＳ３２）。この作動によって図３のステップＳ２２におけるＩＤ出力モニタの車内配置データの取り込みが可能となり、ステップＳ２３におけるＩＤ出力モニタの方向特定ができる。次いで当該モバイル機器から出力したＩＤを付けた通信用データを受信したか否かを判別する（ステップＳ３３）。
【００５５】
ここで未だ所定のＩＤを付けた通信用データを受信していないときには、ステップＳ３６に進んで、所定時間以上経過したか否かを判別し、未だ所定時間以上経過していないときには再びステップＳ３３に戻って前記作動を繰り返し、所定時間以上経過したときにはステップＳ３１に戻って前記の作動を繰り返す。ステップＳ３３で自己のモニタの所定のＩＤを付けた通信用データを受信したときは、再生関連データの受信を開始し（ステップＳ３４）、モバイル機器から受信した再生用データをデータ記録媒体に記録する（ステップＳ３５）。その後図５に示すような、車載モニタ表示機器でのモバイル機器データ再生処理を行う。
【００５６】
図５に示す車載モニタ表示機器でのモバイル機器データ再生処理の例においては、最初再生停止位置データをモバイル機器から受信して入力したか否かを判別している（ステップＳ４１）。この作動は前記図２のステップＳ２において、モバイル機器は再生中であるか否かの判別を行い、再生中であるときには再生を停止した後、ステップＳ４において再生停止位置を記録する処理を行い、最終的にステップＳ１０でモバイル機器から選択した車載モニタ表示機器にこのデータを送信するとき、車載モニタ表示機器でこの再生指示データを受信し入力することとなる。
【００５７】
ステップＳ４１においてそのような再生停止位置データを受信せず入力しなかったと判別したときにはステップＳ４３に進み、取り込んだ再生用データの最初から再生出力を開始する。それに対してステップＳ４１で再生停止位置データを入力したと判別したときには、再生停止位置から再生出力を開始する（ステップＳ４２）。ステップＳ４２及び４３のいずれの場合もその後ステップＳ４４に進み、車載システムから或いはモバイル機器から再生停止指示があるか否かを判別する。
【００５８】
ここで未だ再生停止指示がないと判別したときには、停止指示があるまでこの作動を繰り返し、その後再生停止指示があったときにはモバイル機器へ再生停止位置を送信し（ステップＳ４５）、車載モニタ表示機器での再生を終了する（ステップＳ４６）。このような再生停止位置を送信することにより、再び車載モニタで表示していた例えば映画の続きをモバイル機器で継続して見ることができるようになる。この作動と共に、必要に応じてモバイル機器へデータを戻す処理を行ってもよい。
【００５９】
図６には図２のステップＳ５の処理として、前記図３に示すＩＤ利用の選択処理の他の例を示すものであり、車内を撮影するカメラを利用して、モバイル機器に表示するマーカーを撮影することにより複数の車載モニタのいずれかを選択する処理である、車内カメラ利用マーカー撮影複数車載モニタ選択処理の例を示している。この処理に際して図６に示す例においては、車内に持ち込んだモバイル機器を、車内カメラで撮影できるように画面が上向きになるように、等の所定の姿勢に配置し（ステップＳ５１）、モバイル機器の画面の所定位置にタッチすると（ステップＳ５２）、例えば図１１（ａ）に示すモバイル機器の画像表示状態から、同図（ｂ）に示すようなマーカーＭＡを表示する（ステップＳ５３）。
【００６０】
次いで図１１（ｃ）に示すように車両の上部に配置した車内カメラＳＣでこのマーカーＭＡを撮影し（ステップＳ５４）、このマーカーＭＡの撮影により車載システムはデータを受信する各種機能を行うための待機状態とする（ステップＳ５５）。その後このようにして車内カメラＳＣで撮影した画像について、図６に示す例においては画像処理によってマーカーＭＡが車内のどの位置に存在するかの、位置検出を行うか否かを判別している（ステップＳ５６）。ここでカメラ撮影画像処理によってマーカーの位置検出を行うと判別したときには、車内カメラＳＣで撮影した画像について画像処理によってマーカーＭＡが車内のどの位置に存在するかの位置検出を行う（ステップＳ５７）。
【００６１】
次いで図６の例においては、モバイル機器の向きを検出することによるモニタの選択設定処理を行うか否かを判別している（ステップＳ５８）。ここでモバイル機器に３Ｄジャイロ等のモバイル機器の向きを検出する機能を備えていない等によって、モバイル機器の向き検出によるモニタ選択処理を行わないと判別したときには、例えば図１１（ｄ）においてヘッドユニットＨＵが設置されるドライバ側のモニタと助手席側モニタＪＭについて、予め設定している車内の境界線Ｌ１のどっちの範囲に存在するかを検出することにより、マーカーＭＡの位置によってモニタを選択設定することとする（ステップＳ６１）。
【００６２】
即ち、図１１（ｄ）に示す例においてはその作動をわかりやすくするため、この車両にはヘッドユニットＨＵが設けられるドライバ側のモニタＤＭと、助手席のほぼ前方には位置した助手席側モニタＪＭとが存在するとき、例えば助手席側に乗る人がモバイル機器ＭＯを持ち込んで、現在再生中のコンテンツについてその続きを助手席側モニタＪＭで見たいと思ったとき、境界線Ｌ１の図中左側の範囲である助手席側範囲ＪＨに前記のようにして表示されたマーカーＭＡが存在することを検出し、助手席側モニタＪＭを選択する設定を行う。
【００６３】
また、運転席に座るドライバがモバイル機器ＭＯを持ち込んで、車両が発車する前にモバイル機器ＭＯに記録しているコンテンツを車内のモニタ表示機器を用いて運転席側モニタＤＭを利用して画像表示したいと思ったとき、このモバイル機器ＭＯを境界線Ｌ１について運転席側範囲ＤＨに位置させておくことにより、これを検出してドライバ側モニタＤＭを選択し設定することができる。また、運転者が持ち込んだモバイル機器ＭＯのコンテンツをドライバ側モニタＤＭではなく、助手席に座る人に見せたいと思ったときには、運転席に座っている状態でもモバイル機器ＭＯを図中左手で助手席側範囲ＪＨに移動すると、その状態を撮影した車内カメラの画像を処理することによって、助手席側モニタＪＭを選択することができる。
【００６４】
一方、図６のステップＳ５８において、モバイル機器の向き検出によるモニタ選択設定処理を行うと判別したときには、モバイル機器が備えている３Ｄジャイロ等のジャイロによってモバイル機器の向きを検出する（ステップＳ３９）。この作動は図１２に示しており、図１２（ａ）に示すようにモバイル機器ＭＯで再生中に、利用者による画面の所定範囲のタッチを検出して同図（ｂ）のように画面内にマーカーＭＡを表示し、これを同図（ｃ）のように車内カメラＳＣで撮影して、モバイル機器での３Ｄジャイロ機能の利用を可能とする。
【００６５】
モバイル機器搭載３Ｄジャイロによるモバイル機器の向き検出作動の状態は図１２（ｅ）に示しており、モバイル機器ＭＯについて、車内での絶対座標ＸＹＺに対してモバイル機器ＭＯの座標がｘｙｚであることを検出すると、同図に示す例では特に車両前方を示す絶対座標Ｘに対してモバイル機器の車両前方方向の座標ｘが右側にあることを検出することができ、車内カメラによるマーカー位置検出によってこのモバイル機器が運転席に存在しながら、モバイル機器ＭＯが右側を向いていることから、利用者が運転席側モニタＤＭを使用したいと思っていることを検出することができる。
【００６６】
同様に、運転席側に存在するモニタの向きが明らかに助手席側を向いていることを矢印の撮影により検出すると、利用者は助手席側のモニタを使用したいと思っていることを検出することができる。更にこの車両に図１１（ｆ）に示すように車両の後部座席についても、図１６のような左右の座席の前に後部左席モニタＫＬＭと後部右席モニタＫＲＭとして存在するときでも、モバイル機器を各席側に向けることによって、それぞれのモニタのいずれかを選択することができる。
【００６７】
このような作動によって、例えば助手席側に持ち込んだモバイル機器によって運転席側等の各席のモニタの選択を行うことができることは同様である。上記処理により、図６ステップＳ６０では、モバイル機器に表示されるマーカー位置を車内カメラの撮影画像によって検出し、３Ｄジャイロによってモバイル機器の向きを検出することにより、モニタを選択設定する処理がなされる。
【００６８】
また図６のステップＳ５６において、カメラの撮影画像処理によってマーカーの位置検出を行わないと判別したときには、図示乗れではモバイル機器が存在する座席を、例えば図１２（ｆ）のような座席配置図を画面に表示して利用者が現在モバイル機器が存在する座席をタッチ等によって指示し（ステップＳ６２）、次いで前記ステップＳ５９と同様にジャイロでモバイル機器の向きを検出し（ステップＳ６０）、モバイル機器の向きによりモニタを選択設定することができる（ステップＳ６４）、
【００６９】
図６に示す例においてはモバイル機器の存在する位置を車内カメラで撮影して検出するために、マーカーを表示する例を示したが、そのほか例えば図７に示すように矢印を表示することによって複数モニタのうちのいずれかを選択する処理を行うことができる。特にこの場合には、モバイル機器に３Ｄジャイロを備えていない場合でも、作動させることが可能となる。
【００７０】
図７に示す例においては、車内カメラを利用してモバイル機器に表示される矢印を撮影し、複数車載モニタの選択処理を行う第１の例を示しており、即ち図７の車内カメラ利用矢印撮影複数車載モニタ選択処理の第１例では、最初前記図６と同様に、モバイル機器を車内カメラ撮影範囲に所定姿勢に配置し（ステップＳ７）、次いで利用者がモバイル機器の画面の所定位置にタッチし（ステップＳ７２）、それによりモバイル機器の画面に例えば同図（ｂ）のような矢印を表示する（ステップＳ７３）。
【００７１】
次いで車内カメラでこの矢印を撮影し（ステップＳ７４）、その後カメラの撮影画像処理によって矢印の位置検出を行うか否かを判別する（ステップＳ７５）。ここで車内カメラの撮影画像処理のよって矢印の位置検出を行うと判別したときには、カメラの撮影画像処理によって矢印の位置検出処理を行い（ステップＳ７６）、その後モバイル機器の向き検出によるモニタ選択設定処理を行うか否かを判別する（ステップＳ７７）。
【００７２】
ここでモバイル機器の向き検出によるモニタ選択設定処理を行わないと判別したときには、矢印の位置によりモニタを選択設定する（ステップＳ８１）。この処理は前記図６のステップＳ６１と同様であるのでここでの説明は省略する。ステップＳ７７でモバイル機器の向き検出によるモニタ選択設定処理行うと判別したときには、矢印を使用したいモニタ側に向けることを案内する（ステップＳ７８）。なお、このような案内は前記図６のステップＳ５８の後、ステップＳ５９の前においても行うことができる。
【００７３】
次いで撮影した矢印の画像処理により矢印の向きを検出する（ステップＳ７９）。それにより矢印の位置とモバイル機器の向きによりモニタを選択設定することができる（ステップＳ８０）。即ち、運転席に座る人がモバイル機器を持ち込み、前記のように矢印を表示させたとき、その矢印が後部座席にの左側の席に向けていることを検出したときには、前記作動によって後部座席の左側の席を選択して設定することができる。
【００７４】
一方前記ステップＳ７５でカメラ撮影画像処理によって矢印の位置検出を行わないと判別したときには、前記図６のステップＳ６７と同様に、モバイル機器が存在する座席を指示し（ステップＳ８２）、その後前記ステップＳ７８と同様に、矢印を使用したいモニタの方向に向けることを案内表示し（ステップＳ８３）、次いで撮影した矢印の画像処理により、矢印の向きを検出する（ステップＳ８４）。その後検出した矢印の向きによりモニタを選択して設定する（ステップＳ８５）。
【００７５】
図８に示す車内カメラ利用複数車載モニタ選択処理の第２例においては、前記図７の第１例においてモバイル機器の画面に矢印を１つだけ示したのに対して、矢印を複数表示した例を示している。即ち図８に示す車内カメラ利用矢印撮影複数車載モニタ選択処理の第２例においては、最初図８の例と同様にモバイル機器を車内カメラ撮影範囲に画面を上向きにする等の所定の姿勢に配置した状態で（ステップＳ９１）、利用者がモバイル機器の画面の所定位置にタッチし（ステップＳ９２）、モバイル機器の画面に車内の複数のモニタ取り付け方向を示す矢印を表示する。
【００７６】
その際には予め車内にはドライバ側モニタと助手席側モニタしか存在しないとわかっていてその旨の初期設定しているときには、図８（ｂ）に示すような前方の２方向のみを示す矢印を表示するのに対して、予め車内に４個のモニタが存在することがわかっていてその旨の初期設定しているときには、同図（ｃ）に示すような四方を示す矢印を表示する（ステップＳ９３）。
【００７７】
次いで図示の例ではモバイル機器の画面にそのモバイル機器を正面側に向けるように案内する表示を行い（ステップＳ９４）、利用者によってモバイル機器を略正面に向けられた状態で車内カメラで矢印を撮影する（ステップＳ５）。その撮影画像によりモバイル機器が現在どの方向を向いているかを確認し（ステップＳ９６）、予め設定されているモニタの位置と対応していることを確認できた状態で利用者はモバイル機器の画面に表示されている複数の矢印のうちの任意のものを選択し（ステップＳ９７）、その矢印にタッチし、或いはその矢印の方向に画面をなぞることによって、利用したい所望のモニタを選択する（ステップＳ９８）。それにより、予め車内に存在する複数のモニタの位置の情報に基づき、所望のモニタの選択を行うことができる。
【００７８】
このようにして図３に示す複数モニタの選択例では、複数のモニタとＩＤの送受信によってモニタの選択を行うのに対して、図６の例では車内カメラを利用してモニタの画面に表示したマーカーを撮影することにより、また図７の例では車内カメラを利用してモバイル機器に表示された一つの矢印の位置や方向を検出することにより、また図８の例では車内カメラを利用してモバイル機器に表示された複数の矢印を表示してその位置や方向を検出することによって、予め登録されている複数モニタの位置データを用いることにより、それぞれモニタのＩＤ情報を用いることなく、またモバイル機器に３Ｄジャイロを備えていない場合でも、車内カメラを利用して所望のモニタの選択を行うことができるようになる。
【００７９】
図９には更に、モバイル機器において外部と通信を行う通信部が特定の方向に対して通信を行う指向性を備えているとき、その通信の指向性を利用した複数モニタの選択を行う例を示している。即ち、図９に示す指向性通信利用複数車載モニタ選択処理の例においては、最初モバイル機器は通信方向が複数存在し、その通信方向を選択する機能がついているか否かを判別している（ステップＳ１０１）。ここでそのような機能を備えていないと判別したときには、ステップＳ１０７においてモバイル機器の通信方向を出力したい車載モニタ側に向ける案内表示等の案内出力を行う。その後利用者によってモバイル機器の通信方向を出力したい車載モニタの方向に向ける操作が行われる（ステップＳ１０８）。
【００８０】
一方、ステップＳ１０１においてモバイル機器は通信方向選択機能付きであると判別したときには、モバイル機器画面をタッチパネル化、即ちタッチ入力操作を行う画面とし（ステップＳ１０２）、その状態でモバイル機器画面上で出力したい車載モニタの方向になぞって通信方向の選択指示の入力を行う（ステップＳ１０３）。その際には例えば前記図８（ｂ）及び（ｃ）のようなこのモバイル機器が備えている通信切り替え可能な方向を表示し、その方向を任意に選択し或いはその方向になぞり、更にはそのような画面を表示することなく任意の方向をなぞる等によって、通信方向の選択指示入力を行い、指示した矢印を通信方向に設定することができる（ステップＳ１０４）。
【００８１】
このようにしてステップＳ１０８で向けた通信方向に、或いはステップＳ１０４で選択した通信方向に通信を行い、その指示した方向の車載モニタに表示を行うためのデータ通信を開始する（ステップＳ１０５）。この例においては、車内のシステムが図１６（ａ）に示すように、各モニタでそれぞれ通信可能な独立式車載モニタ表示機器のときに使用可能となる。
【００８２】
車載モニタとしては現在種々のものが存在し、その中にはモニタの不使用時には閉じており、使用するときにモニタを展開して表示する、可動メカディスプレイを備えた装置が存在する。このような装置においても本発明を有効に利用し、モバイル機器を車内の持ち込んでこの可動メカディスプレイに対して画像を表示する選択を行ったとき、自動的にモニタを開き、不要時には自動的に閉じる作動を、図１０に示す作動フローにしたがって行わせることができる。
【００８３】
即ち図１０に示す可動メカディスプレイにおける車載モニタ選択指示時の作動処理においては、最初モバイル機器が可動メカディスプレイ式のモニタを選択したか否かを判別している（ステップＳ１１１）。その判別で未だそのような選択がなされていないときには、この作動を繰り返して待機する。ステップＳ１１１において可動メカディスプレイ式のモニタを選択したと判別したときには、直ちに可動メカディスプレイを開き（ステップＳ１１２）、図示の例ではモバイル機器から再生用データについて再生停止位置の直後からのデータを受信している（ステップＳ１１３）。
【００８４】
即ち図示の例では利用者がモバイル機器で映画等を見ている状態でこのモバイル機器を車内に持ち込み、可動メカディスプレイでその続きの再生出力を行うときの例を示している。次いでで前記再生停止位置からの再生データを受信しながら再生を行い、再生データ量が受信データ量より多いことにより、その後も再生しながら以降のデータを受信し、そのデータを車内システムのデータ記録媒体に記録していく（ステップＳ１１４）。
【００８５】
その後はモバイル機器等から再生停止指示があるか否かを判別し（ステップＳ１１５）、その停止指示がないときにはそのまま再生を継続し、例えばこのモバイル機器を外部に持ち出す等によってモバイル機器から再生停止指示があるとき、モバイル機器へ再生停止位置を送信し（ステップＳ１１６）、その後再生を終了する（ステップＳ１１７）。この時必要に応じてモバイル機器へデータを戻す作動を行うことは前記図５に示す例と同様である（ステップＳ１１７）。
【００８６】
本発明については上記のように種々の態様で実施することができるものであるが、更に前記のような種々の機能を組み合わせ、或いは周知の種々の技術を用いて各種の手法で本発明を実施することができる。
【図面の簡単な説明】
【００８７】
【図１】本発明において各種実施例を実施可能とした機能ブロック図である。
【図２】本発明の全体的な作動を行う作動フロー図である。
【図３】本発明において複数の車載モニタの中から任意のモニタをＩＤを利用して選択する処理を示す作動フロー図である。
【図４】本発明において車載モニタ表示機器で行うＩＤ利用式モバイル機器データ受信処理の例を示す作動フロー図である。
【図５】車載モニタ表示機器でのモバイル機器データ再生処理を行う作動フロー図である。
【図６】車内カメラを利用してマーカーを撮影することにより、複数車載モニタを選択する処理を行う作動フロー図である。
【図７】車内カメラを利用して矢印を撮影することにより、複数車載モニタを選択する処理を行う第１例を示す作動フロー図である。
【図８】車内カメラを利用して矢印を撮影することにより、複数車載モニタを選択する処理を行う第２例を示す作動フロー図である。
【図９】モバイル機器の指向性通信機能を利用することにより、複数車載モニタを選択する処理を行う作動フロー図である。
【図１０】可動メカディスプレイにおける車載モニタ選択指示時の作動を行う作動フロー図である。
【図１１】本発明においてモバイル機器にマーカーを表示し車内カメラでこれを撮影して、複数モニタを選択する例の各種作動状態を示す図である。
【図１２】本発明においてモバイル機器にマーカーを表示し車内カメラでこれを撮影して、複数モニタを選択する他の例の各種作動状態を示す図である。
【図１３】本発明においてモバイル機器に１つの矢印を表示し車内カメラでこれを撮影して、複数モニタを選択する各種作動状態を示す図である。
【図１４】本発明においてモバイル機器に車載モニタに対応した複数の矢印を表示し、車内カメラでこれを撮影して複数モニタを選択する各種作動状態を示す図である。
【図１５】本発明においてモバイル機器に車載モニタの位置に応じた矢印を表示し、これを選択することにより複数モニタを選択する各種作動状態を示す図である。
【図１６】車内に前後左右４個のモニタを設置するときの態様を示す図である。
【図１７】車内のドライバ席側と助手席側にモニタを設置し、車内を撮影するカメラを設けたときの例を示す図である。
【符号の説明】
【００８８】
１  車載システム  
２  車載モニタ表示機器
３  通信部
４  ＩＤデータ送受信部
５  再生データ送受信部
６  再生停止位置送受信部
７  モバイル機器向きデータ受信部
８  モバイル機器選択指示信号受信部
９  表示モニタ選択処理部
１０  ＩＤ利用モニタ選択処理部
１１  受信ＩＤ対応モニタ特定部
１２  車内カメラ撮影処理部
１３  撮影画像取込部
１４  マーカー位置検出部
１５  矢印位置検出部
１６  矢印向き検出部
２０  可動メカディスプレイ開閉作動部
２１  データ記録部
２２  再生処理部
２４  画像出力部
２５  車載モニタ
２６  オーディオ出力部
２７  スピーカ
３０  モバイル機器
３１  通信部
３２  ＩＤデータ通信部
３３  再生データ送受信部
３４  再生停止位置送受信部
３５  モバイル機器向きデータ送信部
３６  選択指示信号送受信部
３８  ＩＤ出力機器特定処理部
４０  モバイル機器向き検出部
４２  モバイル機器画面表示処理部
４３  タッチパネル表示部
４４  タッチパネル操作指示入力検出部
４５  マーカー表示部
４６  矢印表示部
４７  データ記録媒体
４８  再生処理部
４９  画像出力部
５０  表示部
５１  オーディオ出力部
５２  スピーカ
【図１】
2010093515.tif 000003
【図２】
2010093515.tif 000004
【図３】
2010093515.tif 000005
【図４】
2010093515.tif 000006
【図５】
2010093515.tif 000007
【図６】
2010093515.tif 000008
【図７】
2010093515.tif 000009
【図８】
2010093515.tif 000010
【図９】
2010093515.tif 000011
【図１０】
2010093515.tif 000012
【図１１】
2010093515.tif 000013
【図１２】
2010093515.tif 000014
【図１３】
2010093515.tif 000015
【図１４】
2010093515.tif 000016
【図１５】
2010093515.tif 000017
【図１６】
2010093515.tif 000018
【図１７】
2010093515.tif 000019